(57)【要約】【課題】  簡易迅速に構築することができ、かつ、重量物を設置しても歪みや撓みが発生し難い二重床を提供することを課題とする。【解決手段】  床スラブＳ上に並設された複数列の支持脚構造体Ｌ，Ｌ，…と、隣り合う支持脚構造体Ｌ，Ｌ間に架設された複数の床パネルＰ，Ｐ，…とを備える二重床であって、各支持脚構造体Ｌは、各床パネルＰの端部が載置される梁材２０と、この梁材２０と床スラブＳとの間に介設される少なくとも三つの束材１０とを備えている。【選択図】      図２
2006070556.tif 000002
【特許請求の範囲】
【請求項１】
床スラブ上に並設された複数列の支持脚構造体と、隣り合う前記支持脚構造体間に架設された複数の床パネルとを備える二重床であって、
前記各支持脚構造体は、前記床体の端部が載置される梁材と、当該梁材と前記床スラブとの間に介設される少なくとも三つの束材とを備えていることを特徴とする二重床。
【請求項２】
前記各支持脚構造体は、長手方向に連設された複数の支持脚ユニットを含んで構成されており、
当該各支持脚ユニットには、前記梁材の一部となる梁構成材と、当該梁構成材の一端に取り付けられた前記束材と、前記梁構成材の中間部分に取り付けられた少なくとも一つの前記束材とが含まれており、前記梁構成材の他端が隣接する他の前記支持脚ユニットの前記束材に支持されていることを特徴とする請求項１に記載の二重床。
【請求項３】
前記各支持脚構造体は、前記梁材の長手方向に隣り合う二つの前記束材同士を連結するブレース材を備えていることを特徴とする請求項１または請求項２に記載の二重床。
【請求項４】
隣り合う二つの前記支持脚構造体同士が互いに連結されていることを特徴とする請求項１乃至請求項３のいずれか一項に記載の二重床。
【請求項５】
前記支持脚構造体に沿って配置された押え部材をさらに備えており、
当該押え部材によって複数の前記床パネルの側端部が前記梁材に固定されていることを特徴とする請求項１乃至請求項４のいずれか一項に記載の二重床。
【請求項６】
前記支持脚構造体を挟んで隣り合う左右の前記床パネルの側端部が、前記押え部材によって前記梁材に固定されていることを特徴とする請求項５に記載の二重床。
【請求項７】
前記各床パネルは、パネル本体と、当該パネル本体の端部に取り付けられた固定部材とを備えており、
前記固定部材の下端部には、前記パネル本体の側端面よりも側方に張り出す張出部が形成されており、
当該張出部が前記押え部材によって下側に押え付けられており、
前記押え部材の上面が前記各パネル本体の上面と面一になっていることを特徴とする請求項６に記載の二重床。
【発明の詳細な説明】
【技術分野】
【０００１】
本発明は、床スラブ上に構築される二重床に関する。
【背景技術】
【０００２】
従来、フリーアクセスフロアと呼ばれる二重床が知られている（例えば、特許文献１参照）。
【０００３】
この二重床は、床スラブ上に立設された複数の支持脚と、縦横に並べられた複数の床パネルと、を備えて構成されている。
【０００４】
【特許文献１】特願２００４−１００７５１号公報（図４）
【発明の開示】
【発明が解決しようとする課題】
【０００５】
この二重床は、各床パネルの四隅のそれぞれを束材で支持する構成であることから、床パネルの枚数に比例して束材の本数が増大してしまう。さらに、この二重床において、その床面（すなわち、各床パネルの上面）を水平にするためには、膨大な本数の束材の総てについてその高さを揃える必要がある。つまり、従来の二重床では、その構造がシンプルではあるものの、結局のところ、その設置作業や高さ調節作業に多大な手間と時間とを要してしまう。また、各床パネルは、その四隅のみで支持されていることから、中央部に重量物を載置すると、大きな撓みが発生してしまうという問題もある。
【０００６】
そこで、本発明は、簡易迅速に構築することができ、かつ、重量物を設置しても歪みや撓みが発生し難い二重床を提供することを課題とする。
【課題を解決するための手段】
【０００７】
このような課題を解決することができる本発明の二重床は、床スラブ上に並設された複数列の支持脚構造体と、隣り合う前記支持脚構造体間に架設された複数の床パネルとを備える二重床であって、前記各支持脚構造体は、前記各床パネルの端部が載置される梁材と、当該梁材と前記床スラブとの間に介設される少なくとも三つの束材とを備えていることを特徴とする。
【０００８】
この二重床は、要するに、三つ以上の束材に支持された梁材を介して複数の床パネルを支持するものであり、梁材を水平に設置すれば、各床パネルの上面を水平にすることができるが、この梁材を水平にするには、束材の本数の多少にかかわらず、いずれか二つの束材について高さを調節すればよく、残りの束材については、前記の二つの束材に倣って（すなわち、水平にした梁材を基準にして）高さを調節するだけでよい。つまり、三つ以上の束材を梁材で連結してなる支持脚構造体を利用する本発明に係る二重床によれば、束材の本数が膨大であったとしても、これらの高さを容易に揃えることができ、結果として、二重床を簡易迅速に構築することが可能となる。また、各床パネルを梁材で支持する構成としたので、床パネルの四隅に束材を配置する必要はなく、したがって、従来よりも束材の本数を少なくすることも可能となる。さらに、各床パネルは、対向する二辺が梁材により支持されているので、四隅のみが支持されている従来の二重床に係る床パネルに比べて、中央部に生じる撓みが小さくなる。つまり、この二重床は、その上面に重量物を設置した場合であっても、歪みや撓みが発生し難い。
【０００９】
また、本発明に係る二重床においては、前記各支持脚構造体は、長手方向に連設された複数の支持脚ユニットを含んで構成されており、当該各支持脚ユニットには、前記梁材の一部となる梁構成材と、当該梁構成材の一端に取り付けられた前記束材と、前記梁構成材の中間部分に取り付けられた少なくとも一つの前記束材とが含まれており、前記梁構成材の他端が隣接する他の前記支持脚ユニットの前記束材に支持されているものであってもよい。
【００１０】
この二重床によると、長手方向に連設した複数の支持脚ユニットで支持脚構造体を構成したので、支持脚構造体が長大であっても、これを分割して運搬することができ、さらには、施工現場での取り扱いも容易になる。また、床スラブ上に設置した既設の支持脚ユニットの上面（梁構成材の上面）を水平にしたうえで、これに隣接する支持脚ユニットを設置すると、この支持脚ユニットの上面を簡易迅速に水平にすることが可能となる。つまり、この二重床は、各支持脚ユニットの梁構成材の他端が隣接する他の支持脚ユニットの一端側の束材に支持される構成である故、他の支持脚ユニットの上面を水平にしておけば、この隣りに設置する支持脚ユニットについては、複数の束材の一つについてその高さを調節するだけで、その梁構成材の上面を水平にすることができ、残りの束材については、水平にした梁構成材を基準にして高さを調節することができる。
【００１１】
なお、本発明に係る二重床においては、前記各支持脚構造体が前記梁材の長手方向に隣り合う二つの前記束材同士を連結するブレース材を備えていてもよい。
【００１２】
このようにすると、各支持脚構造体の剛性が向上するので、地震等に起因する揺れに対して強い抵抗力を発揮する二重床を提供することが可能となる。
【００１３】
また、本発明に係る二重床は、隣り合う二つの前記支持脚構造体同士が互いに連結されているものであってもよい。
【００１４】
このようにすると、隣り合う二つの支持脚構造体が一体になるので、地震等に起因する揺れに対して強い抵抗力を発揮する二重床を提供することが可能となる。
【００１５】
さらに、本発明に係る二重床においては、前記支持脚構造体に沿って配置された押え部材をさらに備えており、当該押え部材によって複数の前記床パネルの側端部が前記梁材に固定されているものであってもよい。
【００１６】
このようにすると、梁材の長手方向に連設された複数の床パネルの側端部が押え部材によって一括して固定されることになるので、床パネルの設置作業を簡易迅速に行うことが可能となる。
【００１７】
また、本発明に係る二重床においては、前記支持脚構造体を挟んで隣り合う左右の前記床パネルの側端部が、前記押え部材によって前記梁材に固定されているものであってもよい。
【００１８】
このようにすると、一つの押え部材で支持脚構造体を挟んで対向する左右の床パネルを同時に固定することができるので、床パネルの設置作業を簡易迅速に行うことが可能となる。
【００１９】
さらに、本発明に係る二重床においては、前記各床パネルは、パネル本体と、当該パネル本体の端部に取り付けられた固定部材とを備えており、前記固定部材の下端部には、前記パネル本体の側端面よりも側方に張り出す張出部が形成されており、当該張出部が前記押え部材によって下側に押え付けられており、前記押え部材の上面が前記各パネル本体の上面と面一になっているものであってもよい。
【００２０】
このようにすると、二重床の床面全体が平坦になるので、その上面の任意の位置に機器等を自由に設置することが可能となる。
【発明の効果】
【００２１】
本発明に係る二重床によると、その構築作業を簡易迅速に行うことが可能となり、しかも、重量物を設置しても歪みや撓みが発生し難くなる。
【発明を実施するための最良の形態】
【００２２】
以下、本発明を実施するための最良の形態を、添付した図面を参照しつつ詳細に説明する。
【００２３】
本実施形態に係る二重床は、図１に示すように、床スラブＳ上に並設された複数列の支持脚構造体Ｌ，Ｌ，…と、隣り合う支持脚構造体Ｌ，Ｌ間に架設された複数の床パネルＰ，Ｐ，…とを備えており、本実施形態では、さらに、支持脚構造体Ｌに沿って配置された押え部材Ｃを備えている。なお、本実施形態に係る二重床においては、隣り合う支持脚構造体Ｌ，Ｌ同士が複数の連結体Ｊ，Ｊ，…により互いに連結されている。
【００２４】
（支持脚構造体）
支持脚構造体Ｌは、図２に示すように、床スラブＳの上方に配置される梁材２０と、この梁材２０と床スラブＳとの間に介設される少なくとも三つの束材１０，１０，…とを備えており、本実施形態では、さらに、梁材２０の長手方向に隣り合う二個一組の束材１０，１０を互いに連結する一対のブレース材３０，３０を複数組備えている。
【００２５】
束材１０は、図３に示すように、床スラブＳに固定されるベース部１１と、梁材２０が載置される梁載置部１２と、ベース部１１と梁載置部１２との間に介設される柱部１３と、ブレース材３０が接続される下側接続部１４および上側接続部１５と、を備えている。
【００２６】
ベース部１１は、図４に示すように、床スラブＳの上面に固定される下板１１１と、この下板１１１の上面の中央部に立設された下ネジ棒１１２とを備えている。下板１１１は、矩形形状を呈しており、その四隅に挿通孔１１１ａ，１１１ａ，…が穿設されている。なお、ベース部１１は、各挿通孔１１１ａと対応する位置において床スラブＳに打ち込まれたアンカーボルトＡｎおよびナットＮａを利用して固定される。
【００２７】
梁載置部１２は、梁材２０（図３参照）の下面に固定される上板１２１と、この上板１２１の下面の中央部に垂設された上ネジ棒１２２とを備えている。上板１２１は、矩形形状を呈しており、その四隅に挿通孔１２１ａ，１２１ａ，…が穿設されている。
【００２８】
柱部１３は、柱本体１３１と、この柱本体１３１の上下に配置された緩止め用のナット１３２，１３２とを備えている。柱本体１３１の下端面には、ベース部１１の下ネジ棒１１２が螺入されるネジ孔１３１ａが穿設されており、柱本体１３１の上端面には、梁載置部１２の上ネジ棒１２２が螺入されるネジ孔１３１ｂが穿設されている。なお、柱部１３は、所謂ターンバックル構造になっていて、柱本体１３１を適宜な方向へ回転させてネジ孔１３１ａへの下ネジ棒１１２の挿入量とネジ孔１３１ｂへの上ネジ棒１２２の挿入量とを適宜調節すると、束材１０全体の高さ寸法が調節される。
【００２９】
下側接続部１４は、互いに直交するように配置された上下一対のブラケット１４１，１４１と、上側のブラケット１４１の上側に配置されたナット１４２とを備えている。各ブラケット１４１は、ベース部１１の下ネジ棒１１２に環装される矩形形状の基片１４１ａと、この基片１４１ａの一辺から斜め上方に張り出す張出片１４１ｂと、この張出片１４１ｂの先端部から上方に立ち上がる接続片１４１ｃとを備えている。接続片１４１ｃには、その中央部分に挿通孔１４１ｄが形成されている。
【００３０】
上側接続部１５は、互いに直交するように配置された上下一対のブラケット１５１，１５１と、下側のブラケット１５１の下側に配置されたナット１５２とを備えて構成されている。各ブラケット１５１は、梁載置部１２の上ネジ棒１２２に環装される矩形形状の基片１５１ａと、この基片１５１ａの一辺から斜め下方に向かって張り出す張出片１５１ｂと、この張出片１５１ｂの先端部から下方に延びる接続片１５１ｃとを備えている。接続片１５１ｃには、その中央部分に挿通孔１５１ｄが形成されている。
【００３１】
なお、束材１０を床スラブＳ上に設置するには、ベース部１１の下板１１１を床スラブＳ上に載置したうえで、その四隅に形成した挿通孔１１１ａから床スラブＳにアンカーボルトＡｎを打ち込み、アンカーボルトＡｎの下板１１１から突出した部分にナットＮａを螺合すればよい。なお、束材１０を構成する部材を予め一体にした状態でベース部１１を床スラブＳ上に固定してもよく、あるいは、ベース部１１を他の部位と分離した状態で床スラブＳ上に固定し、その後にベース部１１に他の部材を取り付けてもよい。
【００３２】
梁材２０は、図２に示すように、長手方向に連設された複数の梁構成材２０’，２０’，…からなる。
【００３３】
梁構成材２０’は、三つの束材１０，１０，１０の上面に固定されるものであり、図５に示すように、中空の梁本体部２１と、この梁本体部２１の下端部分の両側に形成された一対のボルト収容部２２，２２と、梁本体部２１の内側上部に形成されたナット収容部２３と、梁本体部２１の上面の中央に対向して立設された一対の係止部２４，２４と、を備えている。また、梁構成材２０’は、アルミニウム合金製の押出形材からなる。梁構成材２０’をアルミニウム合金製の押出形材とすると、強度の割に軽量で、腐食しにくいというアルミニウム合金のメリットに加えて、二重床の組立や改造等が容易になるというメリットも期待できる。しかも、押出形材を所定の長さで切断するだけで長さの異なる梁構成材２０’を製作することができるので、製作コストを削減することができる。
【００３４】
ボルト収容部２２には、梁構成材２０’を束材１０に固定する際に使用されるボルトＢ１の頭部が収容される。ボルト収容部２２は、梁構成材２０’の長手方向（形材の押出方向；図５において紙面垂直方向）に連続しており、その下面が開口している。このようにすると、ボルトＢ１の頭部をボルト収容部２２の内部に収容したままで、このボルトＢ１を梁構成材２０’の長手方向に移動させることが可能になるので、束材１０の設置位置に誤差が生じている場合であっても、容易に対応することができ、さらには、二重床の供用後において新たな束材１０を増設する場合にも、新たな挿通孔等を形成する必要がないので、容易に対応することができる。なお、ボルト収容部２２の内面には、ボルトＢ１の頭部に当接してその回動を規制する突条２２ａが形成されている。また、ボルト収容部２２の内幅は、ボルトＢ１の軸部に環装される長方形の板ワッシャＷ１の短辺幅と等しくなっている。なお、図示は省略するが、板ワッシャＷ１の下面には、ボルト収容部２２の長手方向と直交する方向に刃部が形成されており、ボルトＢ１を締め付けると、この刃部がボルト収容部２２の内面に食い込み、ボルトＢ１の移動が阻止されるようになっている。また、図示は省略するが、ボルト収容部２２の下面の開口部は、適宜な箇所において拡幅されており、この拡幅部からボルトＢ１の頭部や板ワッシャＷ１を挿入できるようになっている。なお、ボルトＢ１の頭部や板ワッシャＷ１は、ボルト収容部２２の端部からその内部に挿入しておくこともできる。
【００３５】
ナット収容部２３には、押え部材Ｃを梁構成材２０’に固定する際に使用されるナットＮ２が収容される。ナット収容部２３は、梁構成材２０’の長手方向に連続しており、その上面が開口している。このようにすると、ナットＮ２をナット収容部２３の内部に収容したままで、このナットＮ２を梁構成材２０’の長手方向に移動させることが可能になる。なお、ナット収容部２３の内幅は、ナットＮ２の径よりも若干大きくなっている。
【００３６】
係止部２４，２４は、ナット収容部２３の開口部の縁部に沿って形成されており、互いに対向した状態で梁構成材２０’の長手方向に連続している。
【００３７】
なお、梁構成材２０’を束材１０の上面に固定するには、各ボルト収容部２２にボルトＢ１の頭部を収容した状態で束材１０の梁載置部１２上に梁構成材２０’を載置し、ボルトＢ１の軸部を梁載置部１２の上板１２１に形成された挿通孔１２１ａ（図４参照）に挿通したうえで、上板１２１の下側に突出したボルトＢ１の軸部をナットＮ１で締結すればよい。なお、梁構成材２０’の端部は、束材１０の上板１２１の前半分あるいは後半分に載置され（図３参照）、左右一つずつ合計二つのボルトＢ１で上板１２１に固定される。一方、梁構成材２０’の中間部分は、束材１０の上板１２１の全面に載置され、左右二つずつ合計四つのボルトＢ１で上板１２１に固定される。
【００３８】
ブレース材３０は、図６に示すように、梁材２０の長手方向に隣り合う束材１０，１０同士を連結するものであり、両端にネジ山が形成された棒材３１と、この棒材３１の両端のそれぞれに二つずつ配置された合計四つのナット３２とを備えている。
【００３９】
棒材３１は、その一端が束材１０の下側接続部１４に接続され、その他端が上側接続部１５に接続される。なお、棒材３１の端部は、下側接続部１４を構成するブラケット１４１の接続片１４１ｃの挿通孔１４１ｄ（図４参照）あるいは上側接続部１５を構成するブラケット１５１の接続片１５１の挿通孔１５１ｄ（図４参照）に挿通される。
【００４０】
ナット３２は、二個一組で使用されるものであり、下側接続部１４を構成するブラケット１４１の接続片１４１ｃ（図４参照）を挟んだ状態で棒材３１の端部に螺合され、同様に、上側接続部１５を構成するブラケット１５１の接続片１５１ｃ（図４参照）を挟んだ状態で棒材３１の端部に螺合される。
【００４１】
このように、各支持脚構造体Ｌにおいて梁構成材２０’の長手方向に隣り合う束材１０，１０同士を一対のブレース材３０，３０で互いに連結すると、各支持脚構造体Ｌの剛性が向上するので、地震等に起因する揺れに対して強い抵抗力を発揮する二重床を提供することが可能となる。
【００４２】
なお、図示は省略するが、ブレース材３０は、所謂ターンバックル構造のものであってもよい。
【００４３】
（連結体）
図２に示すように、隣り合う支持脚構造体Ｌ，Ｌ同士を連結する連結体Ｊは、束材１０，１０同士を互いに連結する一対のブレース材Ｊ１，Ｊ１からなる。
【００４４】
ここで、ブレース材Ｊ１の構成は、前記したブレース材３０と同様であるので、その詳細な説明を省略する。
【００４５】
このように、隣り合う支持脚構造体Ｌ，Ｌ同士を連結体Ｊで一体にすると（図２参照）、地震等に起因する揺れに対して強い抵抗力を発揮する二重床を提供することが可能となる。
【００４６】
（床パネル）
図１に示す床パネルＰは、隣り合う支持脚構造体Ｌ，Ｌ間に架設されるものであり、図７に示すように、アルミニウム合金製の押出形材を適宜な長さで切断することで形成される板状のパネル本体Ｐ１と、このパネル本体Ｐ１の端部に取り付けられる固定部材Ｐ２とを備えている。
【００４７】
パネル本体Ｐ１には、複数の中空部Ｐ１１，Ｐ１１，…が形成されており、固定部材Ｐ２は、この中空部１１を利用して取り付けられる。
【００４８】
固定部材Ｐ２は、ブロック状の部材であり、中空の押出形材を適宜な長さで切断することにより形成される。固定部材Ｐ２は、パネル本体Ｐ１の中空部Ｐ１１に挿入される挿入部Ｐ２１と、この挿入部Ｐ２１の下端部に形成された張出部Ｐ２２とを備えている。挿入部Ｐ２１は、中空部Ｐ１１の内部にちょうど収まる形状に成形されている。また、図８の（ａ）に示すように、張出部Ｐ２２は、その先端が挿入部Ｐ２１の下面よりも下側に突出している。このようにすると、挿入部Ｐ２１をパネル本体Ｐ１の中空部Ｐ１１に挿入したときに、張出部Ｐ２２がパネル本体Ｐ１の側端面に引っ掛かり、その結果、張出部Ｐ２２がパネル本体Ｐ１の側端面よりも側方に張り出すことになる。
【００４９】
なお、各床パネルＰは、その端部が梁構成材２０’の上面に載置される。より詳細には、床パネルＰは、その張出部Ｐ２２を梁構成材２０’の係止部２４に突き当てた状態で梁構成材２０’の上面に載置され、その側端面が梁構成材２０’に載置される他の床パネルＰの側端面と隙間をあけて対向している。つまり、左右方向（梁構成材２０’の長手方向に直交する方向）に隣り合う床パネルＰ，Ｐは、梁構成材２０’の係止部２４，２４を挟んで対向しており、その側端面間に押え部材Ｃを挿入可能な隙間が形成されている。
【００５０】
そして、左右の床パネルＰ，Ｐは、図８の（ｂ）に示すように、張出部Ｐ２２，Ｐ２２を押え部材Ｃで同時に下側に押え付けることによって梁構成材２０’に一括して固定される。つまり、各床パネルＰは、その張出部Ｐ２２が押え部材Ｃによって下側に押え付けられており、これにより梁構成材２０’（梁材２０）の上面に固定される。
【００５１】
また、本実施形態に係る二重床においては、各床パネルＰを梁構成材２０’（梁材２０）で支持する構成としたので、床パネルＰの四隅に束材１０を配置する必要はなく、したがって、従来よりも束材１０の本数を少なくすることが可能となる。さらに、各床パネルＰは、対向する二辺が梁構成材２０’により支持されているので、四隅のみが支持されている従来の二重床に係る床パネルに比べて、中央部に生じる撓みが小さくなる。つまり、この二重床は、その上面に重量物を設置した場合であっても、歪みや撓みが発生し難い。
【００５２】
（押え部材）
図１に示す押え部材Ｃは、支持脚構造体Ｌの両側に配置された複数枚の床パネルＰ，Ｐ，…を梁構成材２０’（図２参照）に一括して固定するためのものであり、支持脚構造体Ｌを挟んで対向する左右の床パネルＰ，Ｐ間に配置されている。
【００５３】
押え部材Ｃは、断面矩形を呈するアルミニウム合金製の押出形材からなり、図１０に示すように、梁構成材２０’（図２参照）の長手方向に連なる複数枚（本実施形態では６枚）の床パネルＰ，Ｐ，…に亘る長さを有している。また、図１１に示すように、押え部材Ｃの内部は、仕切壁Ｃ１によって上下二層に分割されており、その上層部には、この押え部材Ｃを梁構成材２０’に固定するためのボルトＢ２の頭部が収容される。また、押え部材Ｃの上面には、ボルトＢ２の頭部を挿通可能な挿通孔Ｃ１１が形成されており、仕切壁Ｃ１および押え部材Ｃの下面には、それぞれボルトＢ２の軸部を挿通可能な挿通孔Ｃ１２，Ｃ１３が形成されている。
【００５４】
なお、図８の（ｂ）に示すように、本実施形態では、押え部材Ｃの高さ寸法は、押え部材Ｃを床パネルＰ，Ｐ間に配置したときに、その上面がパネル本体Ｐ１の上面と面一になるように設定されている。このようにすると、二重床の床面全体が平坦になるので、その上面の任意の位置に機器等を自由に設置することが可能となる。
【００５５】
（二重床の構築方法）
次に、二重床の構築方法を説明する。
二重床を構築するには、図１に示すように、複数の支持脚構造体Ｌ，Ｌ，…を床スラブＳ上に立設し、隣り合う二つの支持脚構造体Ｌ，Ｌ同士を連結体Ｊで互いに連結して二個一組にしたうえで、隣り合う支持脚構造体Ｌ，Ｌ間に複数の床パネルＰ，Ｐ，…を敷設すればよい。
【００５６】
ここで、支持脚構造体Ｌの構築方法を、図９を参照してより詳細に説明する。
支持脚構造体Ｌを構築するには、例えば、支持脚ユニットＵを利用するとよい。この支持脚ユニットＵは、図９の（ａ）に示すように、梁材２０の一部となる梁構成材２０’と、この梁構成材２０’の一端（図９の（ａ）において右端）に取り付けられた境界用の束材１０Ａと、梁構成材２０’の中間部分に取り付けられた中間用の束材１０Ｂとを備えており、梁構成材２０’の他端が隣接する他の支持脚ユニットＵの境界用の束材１０Ａに載置可能な構成になっている。なお、境界用の束材１０Ａと中間用の束材１０Ｂの構成が図３等に示す束材１０と同一の構成であることはいうまでもない。また、本実施形態では、一つの支持脚ユニットＵについて、一本の中間用の束材１０Ｂが備えられているが、二本以上の中間用の束材１０Ｂが備えられているものであっても勿論よい。
【００５７】
そして、この支持脚ユニットＵを利用して支持脚構造体Ｌを構築するには、複数の支持脚ユニットＵ，Ｕ，…を長手方向に順次連設すればよい。つまり、床スラブＳ上に設置してある前段の支持脚ユニットＵの境界用の束材１０Ａ上に、後段の支持脚ユニットＵの梁構成材２０’の他端を載置しつつ、この後段の支持脚ユニットＵの境界用の束材１０Ａおよび中間用の束材１０Ｂを床スラブＳに立設すればよい。
【００５８】
より詳細には、まず、図９の（ａ）および（ｂ）に示すように、前段の支持脚ユニットＵの上面（すなわち、梁構成材２０’の上面）を水平にしたうえで、後段の支持脚ユニットＵの梁構成材２０’の他端を前段の支持脚ユニットＵの境界用の束材１０Ａ上に載置し、次いで、後段の支持脚ユニットＵにおいて、境界用の束材１０Ａを床スラブＳ上に固定するとともに、この境界用の束材１０Ａの高さを調節して梁構成材２０’の上面を水平にし、その後、梁構成材２０’の上面を水平に保ちつつ中間用の束材１０Ｂの高さを調節すると、図９の（ｃ）に示すように、後段の支持脚ユニットＵを前段の支持脚ユニットＵと同じ高さに、かつ、水平に設置することができる。
【００５９】
ここで、図９の（ｂ）に示すように、支持脚ユニットＵを床スラブＳ上に設置する前は、その中間用の束材１０Ｂの長さ（高さ）を境界用の束材１０Ａのよりも短くしておくと、境界用の束材１０Ａの高さを調節する際に、中間用の束材１０Ｂが邪魔になることがない。
【００６０】
なお、本実施形態においては、後段の支持脚ユニットＵにおいて梁構成材２０’の上面を水平にする際に、境界用の束材１０Ａの高さを調節する場合を例示したが、これに限定されることはなく、中間用の束材１０Ｂの高さを調節して梁構成材２０’の上面を水平にし、その後、梁構成材２０’の上面を水平に保ちつつ境界用の束材１０Ａの高さを調節してもよい。また、支持脚ユニットＵが三つ以上の束材１０を備えている場合には、そのうちの一つの束材１０の高さを調節して梁構成材２０’の上面を水平にし、その後、梁構成材２０’の上面を水平に保ちつつ残りの束材１０の高さを調節すればよい。
【００６１】
また、ブレース材３０は、支持脚ユニットＵに予め一体に取り付けておいてもよいし、支持脚ユニットＵを床スラブＳ上に設置した後に取り付けてもよい。
【００６２】
このように、支持脚ユニットＵを利用すると、支持脚構造体Ｌを簡易迅速に構築することが可能となり、ひいては、効率よく二重床を構築することが可能となる。つまり、複数の支持脚ユニットＵ，Ｕ，…のうちの一つについてその上面を水平にしておけば、これを基準にして残りの支持脚ユニットＵ，Ｕ，…の上面を順次水平にすることができる。しかも、高さ調節の完了した前段の支持脚ユニットＵの境界用の束材１０Ａに、後段の支持脚ユニットＵの梁構成材２０’の他端を載置する場合には、後段の支持脚ユニットＵにおいては、複数の束材１０（境界用の束材１０Ａおよび中間用の束材１０Ｂ）のいずれか一つについてその高さを調節するだけで、梁構成材２０’の上面を水平にすることができ、残りの束材１０については、水平にした梁構成材２０’を基準にして高さを調節することができる。
【００６３】
なお、図示は省略するが、支持脚ユニットＵを利用しないで支持脚構造体Ｌを構築してもよい。図２を参照して説明すると、床スラブＳ上の適所において複数の束材１０，１０，…を所定の間隔をあけて一直線上に立設固定したうえで、これらの上面に複数の梁構成材２０’，２０’，…を固定して支持脚構造体Ｌを構築してもよい。このとき、隣り合う梁構成材２０’，２０’の境界部に束材１０を位置させるとよい。また、一の梁構成材２０’を三つ以上の束材１０に亘って設置する場合には、いずれか二つの束材１０の上面に梁構成材２０’を固定し、この二つの束材１０の高さを調節して梁構成材２０の上面を水平にしたうえで、残りの束材１０の高さを調節すると、この残りの束材１０については、水平になった梁構成材２０’を基準にすることができるので、都合がよい。
【００６４】
続いて、床パネルＰの敷設方法を図１０および図１１を参照して説明する。
まず、床スラブＳ上に複数列の支持脚構造体Ｌ，Ｌ，…を構築した後に、図１０に示すように、隣り合う支持脚構造体Ｌ，Ｌ間に複数の床パネルＰ，Ｐ，…を架け渡す。このとき、左右に隣り合う床パネルＰ，Ｐは、支持脚構造体Ｌ上において隙間をあけて対向させておく。次に、支持脚構造体Ｌの右側に配置された複数の床パネルＰ，Ｐ，…と左側に配置された複数の床パネルＰ，Ｐ，…によって支持脚構造体Ｌ上に形成された溝（隙間）に押え部材Ｃを挿入する。そして、図１１に示すように、押え部材Ｃの上面に形成された挿通孔Ｃ１１から押え部材Ｃの内部にボルトＢ２を挿入してその軸部の先端を梁構成材２０’のナット収容部２３の内部に突出させ、予めナット収容部２３に収容しておいたナットＮ２に螺合させると、右側の複数の床パネルＰ，Ｐ，…と左側の複数の床パネルＰ，Ｐ，…とが一括して梁構成材２０’の上面に固定される。
【００６５】
このように、本実施形態に係る二重床によると、支持脚構造体Ｌの両側に配置された複数の床パネルＰ，Ｐ，…を一つの押え部材Ｃで同時に固定することができるので、床パネルＰの設置作業を簡易迅速に行うことが可能となる。
【図面の簡単な説明】
【００６６】
【図１】本発明に係る二重床を示す斜視図である。
【図２】図１の拡大図である。
【図３】束材を示す斜視図である。
【図４】束材の構成を説明するための分解斜視図である。
【図５】梁材（梁構成材）の断面図である。
【図６】支持脚構造体の側面図である。
【図７】床パネルの構成を説明するための分解斜視図である。
【図８】梁材（梁構成材）、床パネルおよび押え部材の取り合いを説明するための断面図であって、（ａ）は押え部材を取り外した状態を示す図であり、（ｂ）は押え部材を取り付けた状態を示す図である。
【図９】支持脚構造体の構築方法を説明するための側面図である。
【図１０】床パネルの敷設方法を説明するための分解斜視図である。
【図１１】図１０の拡大図である。
【符号の説明】
【００６７】
Ｌ      支持脚構造体
１０    束材
２０    梁材
２０’  梁構成材
３０    ブレース材
Ｃ      押え部材
Ｐ      床パネル
Ｐ１    パネル本体
Ｐ２    固定部材
Ｐ２２  張出部
Ｊ      連結体
Ｓ      床スラブ
【図１】
2006070556.tif 000003
【図２】
2006070556.tif 000004
【図３】
2006070556.tif 000005
【図４】
2006070556.tif 000006
【図５】
2006070556.tif 000007
【図６】
2006070556.tif 000008
【図７】
2006070556.tif 000009
【図８】
2006070556.tif 000010
【図９】
2006070556.tif 000011
【図１０】
2006070556.tif 000012
【図１１】
2006070556.tif 000013